【事件の表示】
　平成１１年特許願第　　５７０２号「情報処理装置」拒絶査定不服審判事件〔平成１２年　７月２８日出願公開、特開２０００−２０７０９１〕について、次のとおり審決する。
【結　論】
　本件審判の請求は、成り立たない。
【理　由】
第１　手続の経緯
　本願は平成１１年１月１２日の出願であって、平成１９年１１月１４日付けで拒絶理由が通知され、平成２０年１月１５日付けで手続補正がなされるとともに意見書が提出されたが、平成２０年２月２５日付けで拒絶査定がなされ、これに対し、同年３月３１日付けで拒絶査定不服審判の請求がなされ、同年４月２１日付けで手続補正がなされたものである。
　　
第２　平成２０年４月２１日付けの手続補正の補正却下の決定
［補正却下の決定の結論］
　平成２０年４月２１日付けの手続補正（以下、「本件補正」という。）を却下する。
［理由］
１．補正後の本願発明
　平成２０年４月２１日付けの手続補正により、特許請求の範囲の請求項１は、
　「【請求項１】　ポインティングデバイスの操作に応じて表示画面上のカーソルを移動させ、前記カーソルにより第１の特定領域内の位置を指定するための確定操作が前記ポインティングデバイスにより行われた場合に、前記第１の特定領域に割り当てた情報処理を情報処理装置に実行させるグラフィカルユーザインターフェースのための情報処理装置において、前記第１の特定領域はメニュー表示領域であり、前記情報処理は前記カーソルの自動移動処理であって、
　前記第１の特定領域内で前記カーソルの１以上の移動先をプルダウンメニュー、ポップアップメニューおよびサブメニューのいずれかの形態で案内表示する第１の表示制御手段と
　前記ポインティングデバイスによる移動先の選択および確定の操作に応じて前記カーソルの表示位置を前記第１の特定領域内から選択の移動先の第２の特定領域内に移動するように前記情報処理装置に指示する第２の表示制御手段と
を具え、前記第１の表示制御手段により前記カーソルが前記第２の特定領域内に移動した後、前記第２の表示制御手段は、該第２の特定領域内でのカーソルの移動のみを許可することを特徴とする情報処理装置。」
と補正された。
　　
２．補正の適否について
　上記補正は、本件補正前の請求項３を引用する従属形式の請求項５を独立形式にして補正後の請求項１とし、さらに発明を特定するために必要な事項である「前記第１の特定領域内で前記カーソルの１以上の移動先を案内表示する第１の表示制御手段」について、「前記第１の特定領域内で前記カーソルの１以上の移動先をプルダウンメニュー、ポップアップメニューおよびサブメニューのいずれかの形態で案内表示する第１の表示制御手段」と限定するものであり、本件補正は、特許法第１７条の２第４項第２号の特許請求の範囲の減縮を目的とするものに該当する。
 
  そこで、平成２０年４月２１日付けの手続補正後の請求項１に記載された発明（以下、「本願補正発明」という。）が特許出願の際独立して特許を受けることができるものであるか、すなわち平成１８年法律第５５号改正附則第３条第１項によりなお従前の例によるとされる同法による改正前の特許法第１７条の２第５項において準用する同法第１２６条第５項の規定に適合するかどうかについて以下に検討する。
　
３．引用刊行物
　原査定の拒絶の理由に引用した特開平１０−２６０７８４号公報(平成１０年９月２９日出願公開。以下、「引用例」という。）には、図面と共に次の各記載がある。
　
（ア）「【００１０】
【課題を解決するための手段】上記目的を達成するために本発明は、ポインティングデバイスに対する操作に応じて表示画面に表示されるカーソルを移動させるカーソル制御方法において、前記表示画面に表示される画像領域を複数に分割し、前記分割された領域間で前記カーソルを移動させるための予め定めた操作が行われたかを調べ、前記予め定めた操作が行なわれていない場合には、前記カーソルが存在している分割領域から外へ移動しないように当該カーソルの移動を制御し、前記予め定めた操作が行なわれた場合には、前記カーソルが存在している分割領域から他の分割領域へ当該カーソルを移動させる。
【００１１】また、上記目的を達成するために本発明は、カーソル制御装置において、前記ポインティングデバイスから出力される当該ポインティングデバイスに対する操作の量を示す信号を受け入れ当該信号に応じて前記カーソルの表示位置を決定する表示位置決定手段と、前記表示画面に表示される画像領域を複数に分割して得られる分割領域間で前記カーソルを移動させるための予め定めた操作が行われたかを調べる検出手段とを備え、前記表示位置決定手段は、前記予め定めた操作が検出されていない場合には、前記カーソルがその時点で存在している分割領域の範囲から出ないように当該カーソルの表示位置を決定し、前記予め定めた操作が検出された場合には、前記カーソルがその時点で存在している分割領域から他の分割領域へ当該カーソルの表示位置を移動させる。
【００１２】また、上記目的を達成するために本発明は、１以上の表示装置と当該１以上の表示装置に表示されるべき画像情報を少なくとも生成する情報処理装置とポインティングデバイスを少なくとも備える入力装置とを備える情報処理システムにおいて、前記情報処理装置は、前記画像情報に重ねて表示されるべきカーソルの表示位置を、前記ポインティングデバイスに対する操作に応じて制御するカーソル制御手段と、前記カーソルの表示パターンを記憶するカーソルパターン記憶手段と、ビットマップメモリと、前記カーソルの表示パターンを前記カーソル制御手段が示すカーソルの表示位置に対応する前記ビットマップメモリ上の位置へコピーするパターン転送手段とを備え、前記カーソル制御手段として、前記ポインティングデバイスから出力される当該ポインティングデバイスに対する操作の量を示す信号を受け入れ当該信号に応じて前記カーソルの表示位置を決定する表示位置決定手段と、前記表示画面に表示される画像領域を複数に分割して得られる分割領域間で前記カーソルを移動させるための予め定めた操作が行われたかを調べる検出手段とを備え、前記表示位置決定手段は、前記予め定めた操作が検出されていない場合には、前記カーソルがその時点で存在している分割領域の範囲から出ないように当該カーソルの表示位置を決定し、前記予め定めた操作が検出された場合には、前記カーソルがその時点で存在している分割領域から他の分割領域へ当該カーソルの表示位置を移動させることを特徴とするカーソル制御装置を用いる。」（段落【００１０】〜【００１２】）
　
（イ）「【００１３】
【発明の実施の形態】本発明の一実施形態を図１〜図６及び図３１、図３２を用いて説明する。図１はカーソル移動管理画面、カーソル移動用アイコンの表示例、図２は表示画面を分割した領域と表示装置の対応例、図３はカーソルの移動領域の管理表、図４は領域間をカーソルを移動させるために用いる移動用アイコン管理表、図５は通常の移動操作時のカーソル移動制御のフローチャート、図６はカーソルの領域間移動制御のフローチャートである。また、図３１は本実施形態を実現するハードウエアの外観図、図３２は本実施形態の構成例を示すブロック図である。
【００１４】最初、本実施形態のカーソル制御装置によって実現されるカーソルの移動制御方法について、図１を参照して説明する。図１の１０１は表示画面の領域全体を指す。本実施形態においては、この表示画面全体１０１を領域１０２−１［（ｘ＿１１、ｙ＿１１）−（ｘ＿１２、ｙ＿１２）の矩形領域］と領域１０２−２［（ｘ＿２１、ｙ＿２１）−（ｘ＿２２、ｙ＿２２）の矩形領域］とに分割し、これら分割した領域間でのカーソルの移動に関して管理する。
【００１５】本実施形態のカーソル制御装置は、ポインティングデバイスの動きに対応してカーソル１０３の表示位置を制御するもので、表示画面全体１０１の任意の場所を指し示すことが可能である。しかし、ポインティングデバイスの通常の移動操作では領域１０２−１、領域１０２−２の境界を越えるような移動は制限される。つまり、通常の移動操作が行われている間は、カーソル１０３が領域１０２−１の範囲内にあればカーソル１０３は領域１０２−１内にとどまり、領域１０２−２の範囲内にあれば領域１０２−２内にとどまるよう制御される。
【００１６】領域間の境界を越えてカーソル１０３を移動させるには、領域間移動のための予め定めた操作が行なわれたかを検出する手段を設け、当該予め定めた操作が検出された場合にはカーソル１０３を他の領域へ移動させるように制御を行なう。この領域間移動の制御に関しては後に詳述するが、ここでは簡単に処理の流れについて説明する。
【００１７】本実施形態では、カーソル１０３を領域１０２−１から領域１０２−２へ移動させるにはアイコン１０４−１を利用し、カーソル１０３を領域１０２−２から領域１０２−１へ移動させるためにはアイコン１０４−２を利用する。ここでは、カーソル１０３がアイコン１０４−１の領域を指し示している場合に行なわれる、ポインティングデバイスに設けられているボタンを押すという特定の操作を、前記予め定めた操作の１つとして定義し、この操作が行なわれたことが検出された場合には、カーソル１０３を領域１０２−２へ移動するよう制御する。同様に、カーソル１０３がアイコン１０４−２の領域を指し示している場合にポインティングデバイスのボタンが押された場合には、カーソル１０３を領域１０２−１へ移動させるよう制御する。」（段落【００１３】〜【００１７】）
　
（ウ）「【００１８】以下、本実施形態のカーソル制御装置をパーソナルコンピュータ等の情報処理装置に適用した場合を例に挙げて説明する。本例の情報処理装置は、図３１に示すような外観を備えており、ポインティングデバイスとして機能することができる、ボタンを備えたマウス装置３１０１及びキーボード３１０２と、本実施形態のカーソル制御装置を１つの機能として実現するための、ＣＰＵ及びメモリ（図示せず）等から構成された情報処理装置本体３１０３と、カーソル１０３が表示される２つの表示装置２０１−１、２０１−２とから構成される。
【００１９】本例においては、図２に示すように、領域１０２−１の表示は表示装置２０１−１に表示され、領域１０２−２の表示は表示装置２０１−２に表示されるものとする。この場合は、各分割領域と各表示装置への表示領域は１対１に対応している。この様な構成によれば、操作者は作業中の領域により集中しやすくなり、作業の効率を向上させることができる。
【００２０】本実施形態のカーソル制御装置は、例えば図３２に示すように、上述したマウス装置３１０１やキーボード３１０２で実現されるポインティングデバイス３２０１からの信号を受け入れ、表示装置２０１−１あるいは表示装置２０１−２に表示されるカーソルの表示位置を制御するもので、ＣＰＵやメモリ等を備える情報処理装置本体３１０３によって実現される、カーソル移動領域管理データベース３２０４、カーソルの領域間移動用アイコン管理データベース３２０５、カーソル制御部３２０６、カーソルパターン保存領域３２０８、パターン転送部３２０７、及び、ピットマップメモリ３２０９を備えている。
【００２１】ポインティングデバイス３２０１は、操作者がマウス装置３１０１を移動させた量やキーボード３１０２のカーソル制御キーを操作した量に対応した移動量を検出するための移動量検出部３２０２と、領域間の移動を指示するためのボタンを操作した状態を検出するためのボタン操作検出部３２０３とを有している。ポインティングデバイス３２０１は、検出した移動量、ボタンの操作状態を示す信号をカーソル制御部３２０６へ供給する。
【００２２】カーソル制御部３２０６は、カーソルの領域間移動を行なわせるための予め定めた操作が行なわれたかを検出する移動操作検出部３２０６ａを備える。カーソル制御部３２０６は、現在のカーソルの座標位置を保持すると共に、カーソルの移動領域管理表を格納するカーソル移動領域管理データベース３２０４とカーソルの領域間移動用アイコン管理表を格納するカーソルの領域間移動用アイコン管理データベース３２０５とを参照し、現在のカーソルの座標位置、移動量検出部３２０２から送出されてくる移動量、及び、ボタン操作検出部３２０３から送出されてくるボタン操作状態から、後述するような処理手順により新しいカーソルの座標位置を算出し、当該算出された座標位置を示す座標信号をパターン転送部３２０７に供給する。
【００２３】パターン転送部３２０７は、カーソル制御部３２０６から供給された座標位置に対応するビットマップメモリ３２０９上の位置に、カーソルパターン保存領域３２０８に記憶されているカーソルパターンをコピーする。ビットマップメモリ３２０９は表示装置２０１−１と表示装置２０１−２に接続されており、表示装置２０１−１はビットマップメモリ３２０９の左半分のイメージを表示し、表示装置２０１−２はビットマップメモリ３２０９の右半分のイメージを表示する。
【００２４】カーソル制御部３２０６によるカーソル制御手順について説明する。本実施形態のカーソル制御処理手順としては、移動操作検出部３２０６ａが領域間移動を行なわせるための予め定めた操作を検出していない場合に実行されるカーソル制御（通常制御）に係る処理手順と、当該領域間移動のための予め定めた操作が検出された場合に実行されるカーソル制御（領域間移動制御）に係る処理手順とがある。
【００２５】最初、ポインティングデバイスにより通常の移動操作が行われた場合に実行される通常制御の処理手順について、図３のカーソルの移動領域管理表、図５の通常移動操作時のカーソル移動制御のフローチャートを用いて説明する。
【００２６】本処理手順では、カーソル１０３は分割された領域１０２−１または領域１０２−２のいずれか１つの領域内を移動する様に制御する。このため、移動可能領域として表示画面全体１０１を領域１０２−１と領域１０２−２に分割して管理する。この分割のための情報は、図３に示すようなカーソルの移動領域管理表として管理し、それぞれの領域の領域ＮＯ．及び領域の範囲を示すデータを少なくとも持つ。
【００２７】図３中の表の「領域ＮＯ．」はカーソル１０３が通常操作によって移動可能な領域の各々について設定された固有の番号である。「領域」は分割された各領域の範囲を表している。図３のカーソル移動領域管理表の１行目は、領域１０２−１の「領域ＮＯ．」は０、その「領域」は（ｘ＿１１、ｙ＿１１）、（ｘ＿１２、ｙ＿１２）の２点を対角の頂点とする矩形領域であることを示している。以下、簡単のため、ｘ＿１１≦ｘ＿１２、ｙ＿１１≦ｙ＿１２、ｘ＿２１≦ｘ＿２２、ｙ＿２１≦ｙ＿２２、とする。この図３のカーソル移動領域管理表によって表示画面全体の分割情報と分割されたそれぞれの領域の範囲を知ることが出来る。
【００２８】具体的には、ポインティングデバイスの通常の操作が行われた時のカーソル１０３の移動は、図５のフローチャートに示す処理手順によって制御される。
【００２９】すなわち、ステップ５０１においてカーソル１０３の移動前の座標と移動量を取得する。この時のカーソル１０３の座標（ｘ１、ｙ１）と図３のカーソルの移動領域管理表によって、カーソル１０３がどの領域に表示されているか知ることが出来る。つまり、（ｘ＿１１≦ｘ１≦ｘ＿１２）ａｎｄ（ｙ＿１１≦ｙ１≦ｙ＿１２）であれば領域１０２−１に表示しており、（ｘ＿２１≦ｘ１≦ｘ＿２２）ａｎｄ（ｙ＿２１≦ｙ１≦ｙ＿２２）であれば領域１０２−２に表示している。
【００３０】次に、ステップ５０２においてカーソル１０３の座標と移動量より移動先を算出する。例えば、移動量を（ｄｘ、ｄｙ）とすると移動先の座標（ｘ２、ｙ２）は、
ｘ２＝ｘ１＋ｄｘ
ｙ２＝ｙ１＋ｄｙ  ・・・・・（数１）
となる。
【００３１】ステップ５０３では、カーソル１０３の座標（ｘ１、ｙ１）と移動量（ｄｘ、ｄｙ）と図３のカーソル移動領域管理表を用いて、移動前のカーソルの座標と移動後の座標で領域の変化が起こるかどうかを調べる。例えば、（ｘ＿１１≦ｘ１≦ｘ＿１２）ａｎｄ（ｙ＿１１≦ｙ１≦ｙ＿１２）の場合、カーソル１０３の通常移動領域は領域１０２−１であるので、図３のカーソル移動領域管理表の１行目を利用する。つまり、本ステップでは、移動後の座標（ｘ２、ｙ２）が（ｘ＿１１≦ｘ２≦ｘ＿１２）ａｎｄ（ｙ＿１１≦ｙ２≦ｙ＿１２）となるかどうかを判定する。（ｘ２、ｙ２）が上記条件を満たすならば領域の変化が無いと判定できる。
【００３２】領域の変化が起きない場合、ステップ５０４へ進み、カーソル１０３の座標（ｘ２、ｙ２）へ移動表示を行う。領域の変化が起きる場合、ステップ５０５へ進み、移動後のカーソル１０３の座標が移動前にカーソル１０３が存在する領域をはみ出さないように移動先の座標を算出する。例えば、（ｘ１、ｙ１）と（ｘ２、ｙ２）を結ぶ線分と当該領域の境界とが交わる点の座標を算出する。そして、ステップ５０４において、上記算出した座標位置にカーソル１０３を行う。
【００３３】以上のように、図３のカーソル移動領域管理表を用いて図５のフローチャートに従った制御を行うことにより、カーソル１０３は通常の移動操作によって分割された領域の境界を越えるような移動はできないことになる。これにより、操作者は領域１０２−１内で作業を行っている場合は領域１０２−１に、領域１０２−２内で作業を行っている場合は領域１０２−２に集中して作業を行うことが出来る。
【００３４】このため操作者は必要とする領域あるいは該領域に対応する表示を行なう表示装置のみが作業対象になるので、不用意にカーソルが他の領域あるいは他の表示装置に移動することがなく、作業効率の向上を図ることができる。」（段落【００１８】〜【００３４】）
　
（エ）「【００３５】次に、ポインティングデバイスの操作者が明示的に領域間移動のための操作を行った時に行なわれる領域間移動制御における処理手順について、図４のカーソルの領域間移動用アイコン管理表、図６のカーソルの領域間移動のフローチャートを用いて説明する。
【００３６】上記図１に示すカーソルの領域間移動用アイコン１０４−１、１０４−２は図４に示すようなカーソルの領域間移動用アイコン管理表により管理する。この表の「領域ＮＯ．」はアイコンの表示されている領域の「領域ＮＯ．」である。「アイコン領域」はアイコンの表示範囲を表す。ここでは、上述したカーソルの移動領域管理表と同じく、対角２点の座標による矩形領域として管理する。「行き先」は移動先のアイコンを管理している。
【００３７】このアイコン表示範囲内をカーソル１０３が指している時に、ポインティングデバイスのボタンが押された場合、図４の表中の「行き先」に従って、カーソル１０３を移動する。一例として、カーソル１０３が座標（ｘ、ｙ）［（ｘｉ１１≦ｘ≦ｘｉ１２）ａｎｄ（ｙｉ１１≦ｙ≦ｙｉ１２）］を指しているとき、所定のボタン操作が行なわれたことが検出された場合における、図４の領域間移動用アイコン管理表の使用法について説明する。
【００３８】アイコン１０４−１をカーソル１０３が指しているときにボタンが押されたかどうかの判断は、図４のカーソルの領域間移動用アイコン管理表の「アイコン領域」とカーソル１０３の座標位置とを比較することにより判別可能である。カーソル１０３が指し示しているアイコン１０４−１の行を見ると、「行き先」はアイコン１０４−２である。更に、その行き先のアイコン１０４−２の行を見ると、行き先の領域の「領域ＮＯ．」は１であることがわかる。ここで、図３のカーソルの移動領域管理表を見ると「領域ＮＯ．」が１である領域は、領域１０２−２であるので、カーソル１０３を領域１０２−２に移動することができる。
【００３９】ポインティングデバイスによりカーソル１０３がアイコン１０４−１領域を指してポインティングデバイスのボタンが押された場合に行なわれる処理手順を図６のフローチャートに示す。
【００４０】ステップ６０１において、図４の領域間移動用アイコン管理表より、移動先のアイコンとそのアイコンの表示されている領域ＮＯ．を調べる。本例の場合、移動先のアイコンは１０４−２でそのアイコンの表示されている領域ＮＯ．は１となる。
【００４１】次に、ステップ６０２において、移動先のアイコン領域と移動先の領域より、カーソル１０３の移動先の座標を算出する。例えば、移動先が上記図１の１０４−１の様にトンネルの絵の描かれたアイコンの場合、領域１０２−２内でアイコン１０４−２のトンネルの絵の出口の座標を算出する。この出口の座標をアイコンの中心とすると、アイコン１０４−２の矩形領域の頂点座標よりトンネルの絵の出口の座標は、
    （（ｘｉ２１＋ｘｉ２２）／２、（ｙｉ２１＋ｙｉ２２）／２）
                                                     ・・・（数２）
のように算出できる。
【００４２】最後にステップ６０３において、ステップ６０２で算出した座標へカーソル１０３を移動表示する。
【００４３】以上のような制御を行うことによってポインティングデバイスの操作者の意志に従い自由にカーソル１０３を分割した領域間を移動させることが出来る。
【００４４】また、領域間移動用のアイコン１０４−１、１０４−２のデザインを容易には越えることのできない境界を越えるイメージを持つトンネルのデザインとして、移動先の領域との境界あるいはその近傍に配置することにより、操作者が容易にかつ直感的に、アイコンの領域間移動の意味と移動先を理解できるようにしている。さらに、アイコン１０４−１、１０４−２の表示色を背景と異なるものとして、背景から浮き上がるように配色することにより、操作者のアイコン１０４−１、１０４−２の存在認識を容易とすることができる。
【００４５】カーソルの領域間移動時には、カーソルの移動が分かり易い様にアニメーションを行ってもよい。例えば、図１の１０４−１、１０４−２の様にトンネルの絵が描かれたアイコンでカーソルが１０４−１の位置から１０４−２の位置へ移動する場合、アイコン１０４−１のトンネルの絵の入り口にカーソル１０３が入り、アイコン１０４−２のトンネルの絵の出口からカーソル１０３が現れるようなアニメーション表示を行う。
【００４６】以上では、図１の様に表示領域全体が矩形でカーソル移動の管理領域を横に二つに分割した場合について説明したが、分割の仕方は図７の様に縦に２分割されていても、あるいは、図８の様に表示領域全体が矩形ではなく、分割された領域が異なる大きさ、形であってもカーソル移動領域管理表の「領域」データを変えることで同様の動作が可能となる。
【００４７】更に、図９の様に領域が４つに分割されている場合もカーソルの移動領域の管理表を図１０の様に４つの領域分のデータを持つことで分割された領域を管理できる。そして、領域間移動用のアイコンの管理表を図１１の様に各領域間の移動用のアイコン９０４−１〜９０４−１２を用意し、領域と移動先のアイコンの対応を付けることによりカーソル９０３の領域間の移動が可能となる。この場合も２つに分割した場合と同様の処理方法で、カーソル９０３を移動させることが出来る。
【００４８】また、分割数は２、４に限られることはなく横ｍ分割、縦ｎ分割とし、全体としてｍ×ｎ分割の場合でも同様の方法を用いてカーソルを移動させることが出来る。ただし、ｍ、ｎは１以上の整数とする。この場合、カーソル移動管理画面、カーソルの領域間移動用のアイコンの表示は図１２の様になる。この時のカーソルの移動領域管理表は図１３の様になり、カーソルの領域間移動用アイコンの管理表は図１４の様になる。これらの二つの表によって各領域のデータ、アイコンのデータ（アイコンの領域、分割された領域との対応、行き先のアイコン）を管理し、同様の処理方法により、領域間の移動制限、領域間の移動が可能となる。
【００４９】図２ではマウスの移動領域の分割と表示装置への表示の分割が一致する場合を示したが、図１５や図１６の様にこれらの分割の数と表示装置の数が一致しない場合でも、同様の処理方法を用いることが可能である。
【００５０】例えば図１５の例に示すように、表示画面１０１は領域１０２−１、１０２−２の２つに分割されて表示装置１５０１、１５０２、１５０３の３台に表示する構成としても良い。すなわち、領域１０２−１の左側は表示装置１５０１に、領域１０２−１の右側は表示装置１５０２に、領域１０２−２は表示装置１５０３に表示される。
【００５１】また、図１６に示す例のように、表示画面１０１は領域１０２−１、１０２−２の２つに分割されているが、表示装置１６０１の１台だけに表示するように構成しても良い。この場合、領域１０２−１は表示装置１６０１の左側に、領域１０２−２は表示装置１６０１の右側に表示する。
【００５２】この様に、表示装置の数と領域の分割数が一致しなくてもカーソルの移動領域管理表とカーソルの領域間移動用アイコン管理表を持ち、同様の処理をすることにより、カーソルの領域間の移動制限、領域間の移動の制御が可能となる。
【００５３】以上の例においてカーソルの領域間移動用のアイコンは、カーソルの操作者が感覚的に移動先が分かり易い様に、移動先領域の境界付近に配置していた。しかし、カーソルの領域間移動用のアイコンは図１７の１７０３−１〜３の様に領域の任意の場所に縦に並べて表示されてもよい。また、１７０３−４〜６の様に横に並べて表示されても制御可能である。さらに、１７０３−７〜９の様に表示領域全体における分割された領域のならびに対応して表示されてもよく、また、１７０３−１０〜１２の様に各アイコンが任意の場所に表示されていても、カーソルの領域間移動用アイコン管理表の「アイコン領域」のデータを変更することで、上述した例の場合と同様に制御できる。
【００５４】また、上記図１では領域間の移動用のアイコンは隣接する領域へ移動するためのものだけが表示されていたが、図１８に示すように、領域１８０２−１から領域１８０２−３へ移動するための領域間移動用アイコン１８０３−２や領域１８０２−３から領域１８０２−１へ移動するための領域間移動用アイコン１８０３−５の様に隣接しない領域間を移動するためのアイコンも、カーソルの領域間移動用アイコン管理表の「行き先」のデータを隣接しない領域に表示するアイコンとすることで同様に実現できる。
【００５５】また、図１９のアイコン１９０１−１〜４の様なカーソルの領域間移動制限を解除するためのアイコンも容易に実現できる。例えば領域１９０２−１と領域１９０２−２の間の移動の制限を解除するには、カーソルが前記解除のためのアイコンが指し示した場合に、図２０の様にカーソル移動領域管理表の領域９０２−１と領域９０２−２の「領域ＮＯ．」を等しくすることによって可能である。これは、カーソルの移動前の座標（ｘ１、ｙ１）を含む領域の「領域ＮＯ．」と移動後の座標（ｘ２、ｙ２）を含む領域の「領域ＮＯ．」とが等しければ、移動による領域の変化は無いと判定することが出来るからである。また、ポインティングデバイスの所定のボタンが押されている間、領域間の移動制限を解除し、カーソルが自由に動けるように構成することも同様にできる。
【００５６】以上で、説明したカーソルの領域間移動用のアイコンや領域間の移動制限解除のアイコンを一つに纏めた図２１のアイコン２１０３−１、２１０３−２の様な領域間移動用アイコンも容易に実現可能である。例えば、図２１のカーソル２１０４を領域間移動制御用のアイコン２１０３−１の領域を指し示した状態で、ポインティングデバイスのボタンが押されると図２２のメニュー２２０１を表示するように構成する。このメニュー２２０１により移動先の領域や領域間の移動制限の解除の選択が可能となる。
【００５７】すなわち、アイコン２１０３−１、２１０３−２の領域のデータより、これらのアイコンの範囲をカーソル２１０４が指しているときにボタンが押されたかの判定が出来る。この判定の後、図２２のメニュー２２０１の表示をして、このメニュー２２０１の各領域をカーソルの領域間移動用アイコン管理表で管理し、同様の処理をすることによりカーソルの領域間の移動を制御することが出来る。
【００５８】カーソルの領域間移動用の領域は、以上で説明したようにアイコンの形で表示されている必要はなく、図２３の領域２３０２−１から領域２３０２−２への移動処理を行うための領域２３０３−１や、領域２３０２−２から領域２３０２−１への移動処理を行うための領域２３０３−２の様に、領域のみが用意されていてもよい。この場合も領域２３０３−１、２３０３−２の管理を、上記図３の領域間移動用アイコン管理表と同様の表によって行うことで、カーソルの領域間の移動の管理を行うことが出来る。
【００５９】具体的には、図２３の様にカーソル２３０４が領域２３０３−１を指している状態でポインティングデバイスのボタンが押されると、カーソル２３０４は領域２３０２−２へ移動表示されるよう構成する。
【００６０】また、図２３の様にカーソル２３０４が領域２３０３−１を指し示した場合に、図２４の様にカーソルの領域間移動用の大きなアイコン２４０１を表示したり、または、図２５の様にカーソル移動制御のメニュー２５０１を表示して、その選択内容によってカーソル２３０４の移動制御を実施する構成としても良い。」（段落【００３５】〜【００６０】）
　
（オ）「【００６８】カーソルの移動領域管理表の設定処理の一例について図３３のフローチャートを用いて説明する。
【００６９】本処理手順では最初、ステップ３３０１において分割する領域数を設定する。これによって、カーソルの移動領域管理表の行数が決定される。このカーソルの移動領域管理表の各行の設定を行なうため、ステップ３３０２において設定を行なう行番号ｋの値を１とする。
【００７０】次に、ステップ３３０３において、ｋがステップ３３０１において設定した領域数以下であればステップ３３０４、３３０５においてカーソルの移動領域管理表のｋ行目の「領域ＮＯ．」データ、「領域」データの設定を行なう。さらに、ステップ３３０６でｋの値を１増加し、ｋが次に処理すべき行の値を指し示すようにして、ステップ３３０３へ戻る。ここで、ｋの値が領域数以上であると判断された場合には、カーソルの移動領域管理表のすべての行の設定を終えたことになるため、本処理を終了する。
【００７１】なお、領域間移動用アイコン管理表の設定も本処理と同様の手順により実施することができる。
【００７２】また、領域分割数の設定をいつでも可能であるように構成することにより、実行されているアプリケーションの数にあわせて、領域を分割することができる。例えばアプリケーションプログラムが２つ実行されている場合には、上記図１の領域１０２−１、１０２−２のように表示領域を２つに分割し、それぞれの領域で異なるアプリケーションプログラムを実行する。さらに、もう１つ新しいアプリケーションプログラムが実行される場合には、領域の分割を再設定し、図１８のように表示領域を３つに分割し、３つのプログラムをそれぞれ異なる領域で実行する構成としてもよい。
【００７３】また、テレビ会議システムのように表示画面を共用画面と個人用画面とを併せ持つようなアプリケーションプログラムでは、該プログラムの起動時に、これら２つの画面分割に合わせて、カーソルの移動領域の分割設定を行なう構成としても良い。このような構成によれば、個人用画面内で他人に見せることのできないデータが不用意にポインティングデバイスの操作により、共用画面へ移動してしまうような誤操作を防ぐことができる。
【００７４】また、操作者が上述したようなカーソル移動領域管理表のデータの設定を行なう場合、例えば図２７のようなカーソル移動領域管理表設定画面によって入力できる。まず、領域数入力位置２７０１に分割数を入力し、設定ボタン２７０２を押す。これで、カーソル移動領域管理表の行数ｋを決定する処理を実行し、ｋ行のカーソル移動領域管理表入力画面を表示する。例えば、ｋ＝２の場合は図２８の様に構成する。ここで、２８０１は領域１の「領域ＮＯ．」入力位置、２８０２は領域１の「領域」入力位置である。また、２８０３は領域２の「領域ＮＯ．」入力位置、２８０４は領域２の「領域」入力位置である。
【００７５】これらのデータ入力位置２８０１、２８０２、２８０３、２８０４にデータを入力し、設定ボタン２８０５を押すことで、カーソル移動領域管理表の設定、変更、再設定を行う構成とする。また、カーソルの移動用アイコン管理表も同様の処理方法によって設定できる。
【００７６】
【発明の効果】本発明によるポインティングデバイスのカーソル制御装置では、表示画面を分割し、ポインティングデバイスの通常の操作では分割された各領域間のカーソルの移動は起こらないように制御を行う。このため、ポインティングデバイスのカーソルはポインティングデバイスの操作者の注目している画面の領域から外へ出て行くことを防ぐことができる。よって、ポインティングデバイスの不用意な操作によりカーソルが移動したとしても、カーソルは注目している限られた領域内にあるため、カーソルの発見は容易である。
【００７７】更に、本発明によれば、アイコンなどの表示を行い、その表示に対するポインティングデバイスによる操作を検出することによりカーソルの分割された各領域間の移動を制御する手段を提供することができる。また、キーボードなどの各種入力装置による入力によるカーソルの分割された各領域間の移動を制御する手段も提供することができる。これらのカーソルの各領域間の移動制御により、ポインティングデバイスの操作者は容易に画面上の目的の領域へカーソルを移動させることが出来る。これにより、ポインティングデバイスのカーソルの操作性が向上する。」（段落【００６８】〜【００７７】）
　
（カ）図２２及び図２５には、メニューの項目に「領域１へ」とカーソルの移動先の領域を表示することが示されている。
　
　以上の記載からみて、引用例には、次のような発明が記載されているものと認められる。
「情報処理装置に適用されるカーソル制御装置において、
　ポインティングデバイスに対する操作に応じて、表示装置の表示画面に表示されるカーソルの表示位置を決定する表示位置決定手段と、
　前記表示画面に表示される画像領域を複数に分割して得られる分割領域間で前記カーソルを移動させるための、カーソルが領域間移動用のアイコンを指し示した状態でポインティングデバイスに設けられているボタンを押すという特定の操作が行われたかを調べる検出手段とを備え、
　前記表示位置決定手段は、前記特定の操作が検出されていない場合には、前記カーソルがその時点で存在している分割領域の範囲から出ないように当該カーソルの表示位置を決定し、カーソルは通常の移動操作によって分割された領域の境界を越えるような移動はできないようにし、
　前記特定の操作が検出された場合には、前記カーソルがその時点で存在している分割領域から他の分割領域へ当該カーソルの表示位置を移動させるものであって、
　カーソルが領域間移動制御用のアイコン２１０３−１の領域を指し示した状態で、ポインティングデバイスのボタンが押されると、例えば「領域１へ」とカーソルの移動先の領域を表示する項目等のメニュー２２０１を表示するように構成し、メニューにより移動先の領域や領域間の移動制限の解除の選択を可能とする、あるいは、カーソルが境界の領域２３０３−１を指し示した場合に、カーソル移動制御用のメニュー２５０１を表示して、その選択内容によってカーソルの移動制御を実施してもよいカーソル制御装置。」
　
４．対比
　本願補正発明と引用例に記載された発明（以下、「引用発明」という。）を対比する。
　引用発明の「ポインティングデバイスに対する操作に応じて、表示装置の表示画面に表示されるカーソルの表示位置を決定する」は、本願補正発明の「ポインティングデバイスに対する操作に応じて表示画面上のカーソルを移動させ」に相当する。
　引用発明の「メニュー」を表示している領域は、本願補正発明の「メニュー表示領域である」「第１の特定領域」に相当し、引用発明の「カーソルを領域間移動制御用のアイコンの領域を指し示した状態で、ポインティングデバイスに設けれているボタンを押すという特定の操作」は、本願補正発明の「前記カーソルにより第１の特定領域内の位置を指定するための確定操作」に相当する。
　引用発明は、カーソルが領域間移動制御用のアイコンの領域を指し示した状態で、ポインティングデバイスのボタンが押されると、例えば「領域１へ」とカーソルの移動先の領域を表示する項目等のメニューを表示するように構成し、メニューにより移動先の領域や領域間の移動制限の解除の選択を可能とする、あるいは、カーソルが境界の領域２３０３−１を指し示した場合に、カーソル移動制御用のメニューを表示して、その選択内容によってカーソルの移動制御を実施し、情報処理装置に適用しているから、引用発明は、本願補正発明の「前記カーソルにより第１の特定領域内の位置を指定するための確定操作が前記ポインティングデバイスにより行われた場合に、前記第１の特定領域に割り当てた情報処理を情報処理装置に実行させるグラフィカルユーザインターフェースのための情報処理装置において、前記第１の特定領域はメニュー表示領域であり、前記情報処理は前記カーソルの自動移動処理であって」の構成を有している。
　引用発明は、「カーソルの移動先の領域を表示する項目等のメニューを表示するように構成」しているから、本願補正発明の「第１の特定領域内でカーソルの１以上の移動先をプルダウンメニュー、ポップアップメニューおよびサブメニューのいずれかの形態で案内表示する第１の表示制御手段」を具える点と、「第１の特定領域内でカーソルの移動先をメニューの形態で案内表示する第１の表示制御手段」を具える点で共通する。
　引用発明の「移動先の領域」は、本願補正発明の「移動先の第２の特定領域」に相当する。
　引用発明は、前記特定の操作が検出された場合には、カーソルがその時点で存在している分割領域から他の分割領域へ当該カーソルの表示位置を移動させ、カーソルの移動先の領域を表示する項目等のメニューの領域も同様に移動先の領域の選択を可能とするから、本願補正発明の「前記ポインティングデバイスによる移動先の選択および確定の操作に応じて前記カーソルの表示位置を前記第１の特定領域内から選択の移動先の第２の特定領域内に移動するように前記情報処理装置に指示する第２の表示制御手段」を具える点で一致する。
　　
　そうすると、本願補正発明の用語を用いて表現すると、両者は次の点で一致する。
（一致点）
「ポインティングデバイスの操作に応じて表示画面上のカーソルを移動させ、前記カーソルにより第１の特定領域内の位置を指定するための確定操作が前記ポインティングデバイスにより行われた場合に、前記第１の特定領域に割り当てた情報処理を情報処理装置に実行させるグラフィカルユーザインターフェースのための情報処理装置において、前記第１の特定領域はメニュー表示領域であり、前記情報処理は前記カーソルの自動移動処理であって、
　前記第１の特定領域内で前記カーソルの移動先をメニューの形態で案内表示する第１の表示制御手段と、
　前記ポインティングデバイスによる移動先の選択および確定の操作に応じて前記カーソルの表示位置を前記第１の特定領域内から選択の移動先の第２の特定領域内に移動するように前記情報処理装置に指示する第２の表示制御手段と
　を具えることを特徴とする情報処理装置。」
　
そして、両者は次の点で相違する。
（相違点１）
　本願補正発明は、カーソルの１以上の移動先をプルダウンメニュー、ポップアップメニューおよびサブメニューのいずれかの形態で案内表示しているのに対して、引用発明は、カーソルの１つの移動先をカーソル移動制御用のメニューで案内表示している点。
　
（相違点２）
　本願補正発明は、前記第１の表示制御手段により前記カーソルが前記第２の特定領域内に移動した後、前記第２の表示制御手段は、該第２の特定領域内でのカーソルの移動のみを許可するのに対して、引用発明は、前記カーソルが前記第２の特定領域内に移動した後、該第２の特定領域内でのカーソルの移動のみを許可することが明記されていない点。
　
５．判断
　前記相違点について判断する。
（相違点１）について
　先ず、引用例には、カーソルの移動先の領域が複数ある場合にそれぞれの移動先の領域に対応してカーソルの領域間移動用のアイコンを複数表示することが記載されている（段落【００４７】〜【００５４】の記載参照。）から、カーソルの１以上の移動先を案内表示することは引用例に記載されている。
　次に、処理内容をプルダウンメニュー、ポップアップメニューおよびサブメニューの形態で案内表示することは、本願出願前既にパーソナルコンピュータにおいて、文献を示すまでもなく周知技術である。
　したがって、引用発明に上記周知技術を適用することにより、本願補正発明の如く、第１の特定領域内でカーソルの１以上の移動先をプルダウンメニュー、ポップアップメニューおよびサブメニューのいずれかの形態で案内表示する程度のことは、当業者が適宜なし得ることである。
　
（相違点２）について
　引用発明は、特定の操作が検出されていない場合には、カーソルは、その時点で存在している分割領域の範囲から出ないように、当該カーソルの表示位置を決定し、カーソルは通常の移動操作によって分割された領域の境界を越えるような移動はできないようにしており、これは、特定の操作が検出されてカーソルが移動した後においても、その時点でカーソルが存在している分割領域内からでないように、通常の移動操作によって領域の境界を越えるような移動はできないものであって、カーソルの移動先の領域を表示する項目等のメニューで移動先の領域の選択をしてカーソルが移動した後も、同様にカーソルの移動制限がなされると判断される。
　したがって、引用発明において「前記第１の表示制御手段により前記カーソルが前記第２の特定領域内に移動した後、前記第２の表示制御手段は、該第２の特定領域内でのカーソルの移動のみを許可する」ようにすることは、当業者が容易になし得ることである。
　
　そして、本願補正発明の奏する効果は、引用発明及び周知技術の奏する効果から予測される範囲内のものにすぎず、格別顕著なものということはできない。
　したがって、本願補正発明は、引用発明及び周知技術に基づいて当業者が容易に発明をすることができたものである。
　
６．本願補正発明についてのむすび
　以上のとおり、本願補正発明は、特許法第２９条第２項の規定により特許出願の際独立して特許を受けることができるものではなく、したがって、本件補正は、平成１８年法律第５５号改正附則第３条第１項によりなお従前の例によるとされる同法による改正前の特許法第１７条の２第５項において準用する同法１２６条第５項の規定に違反するので、同法第１５９条第１項において読み替えて準用する同法第５３条第１項の規定により却下すべきものである。
　
第３　本願発明について
１．本願発明
　平成２０年４月２１日付けの手続補正は前記のとおり却下されるから、本願の特許請求の範囲の請求項３を引用する請求項５に係る発明（以下、「本願発明」という。）は、平成２０年１月１５日付けの手続補正により補正された特許請求の範囲の請求項３を引用する請求項５に記載された次のとおりのものである。
　
「【請求項３】　ポインティングデバイスの操作に応じて表示画面上のカーソルを移動させ、前記カーソルにより第１の特定領域内の位置を指定するための確定操作が前記ポインティングデバイスにより行われた場合に、前記第１の特定領域に割り当てた情報処理を情報処理装置に実行させるグラフィカルユーザインターフェースのための情報処理装置において、前記第１の特定領域はメニュー表示領域であり、前記情報処理は前記カーソルの自動移動処理であって、
　前記第１の特定領域内で前記カーソルの１以上の移動先を案内表示する第１の表示制御手段と
　前記ポインティングデバイスによる移動先の選択および確定の操作に応じて前記カーソルの表示位置を前記第１の特定領域内から選択の移動先の第２の特定領域内に移動するように前記情報処理装置に指示する第２の表示制御手段と
を具えたことを特徴とする情報処理装置。
【請求項５】　請求項３または請求項４に記載の情報処理装置において、前記第１の表示制御手段により前記カーソルが前記第２の特定領域内に移動した後、前記第２の表示制御手段は、該第２の特定領域内でのカーソルの移動のみを許可することを特徴とする情報処理装置。」
　
２．引用刊行物
　原査定の拒絶の理由に引用された引用例及びその記載事項は、前記「第２　３．」に記載したとおりである。
　
３．対比・判断
　本願発明は、本願補正発明の「前記第１の特定領域内で前記カーソルの１以上の移動先をプルダウンメニュー、ポップアップメニューおよびサブメニューのいずれかの形態で案内表示する第１の表示制御手段」を「前記第１の特定領域内で前記カーソルの１以上の移動先を案内表示する第１の表示制御手段」とするものである。
　そうすると、本願発明の発明特定事項をすべて含み、さらに、他の発明特定事項を付加したものに相当する本願補正発明が、前記「第２　５．」に記載したとおり、引用発明及び周知技術に基づいて、当業者が容易に発明することができたものであるから、本願発明も、同様に、引用発明及び周知技術に基づいて、当業者が容易に発明することができたものである。
　
　そして、本願発明の奏する効果は、引用発明及び周知技術の奏する効果から予測される範囲内のものにすぎず、格別顕著なものということはできない。
　　　
５．むすび
　以上のとおり、本願発明は、引用発明及び周知技術に基づいて、当業者が容易に発明することができたものであるから、特許法第２９条第２項の規定により特許を受けることができない。
　したがって、本願は、他の請求項について検討するまでもなく、拒絶すべきものである。
よって、結論のとおり審決する。